(57)【要約】【課題】スタンド脚の展開時に、傘等の棒状体を、専用の収容体を設けることなく、簡単に、かつ安定よく収容することができ、しかも、簡単な構成で、収納位置としたときのスタンド脚の防護と開き防止とを図ることができるようにしたスタンド脚付きバッグを提供する。【解決手段】スタンド脚３を被覆保護するための可撓性のカバー１１の基端部が、スタンド脚３の一側方におけるバッグ本体１の外側面に止着され、カバー１１により、収納位置としたときのスタンド脚３の一部を覆った状態で、カバー１１の遊端部を、スタンド脚３の他側方におけるバッグ本体１の外側面に止着可能とする一方、カバー１１の遊端部を、カバー１１の基端部に止着可能とすることにより、筒状体を形成しうるようにする。【選択図】  図４
2010227328.tif 000002
【特許請求の範囲】
【請求項１】
有底筒状のバッグ本体の外側面に、前記バッグ本体の長手方向に添う収納位置と、下端が前記バッグ本体の外側面から離間するように展開した展開位置とに移動可能なスタンド脚を備えるスタンド脚付きバッグにおいて、
前記スタンド脚を被覆保護するための可撓性のカバーの基端部が、該スタンド脚の一側方におけるバッグ本体の外側面に止着され、該カバーにより、収納位置としたときのスタンド脚の一部を覆った状態で、カバーの遊端部を、該スタンド脚の他側方におけるバッグ本体の外側面に止着可能とする一方、前記カバーの遊端部を、該カバーの基端部に止着可能とすることにより、筒状体を形成しうるようにしたことを特徴とするスタンド脚付きバッグ。
【請求項２】
カバーの遊端部に、該カバーの基端部と、バッグ本体の外側面におけるスタンド脚の他側方の部分とに止着可能な面ファスナーを設けた請求項１記載のスタンド脚付きバッグ。
【請求項３】
カバーにおける上部の基端部と遊端部との止着部分の間隔を、カバーの下部の基端部と遊端部との止着部分の間隔より大とすることにより、形成される筒状体を、下方に向かって漸次縮径するテーパー状とした請求項１または２記載のスタンド脚付きバッグ。
【発明の詳細な説明】
【技術分野】
【０００１】
本発明は、スタンド脚付きバッグに関する。
【背景技術】
【０００２】
ゴルフバッグには、ゴルフバッグ本体の外側面に、スタンド脚の上端部を枢着し、このスタンド脚を、バッグ本体の外側面に添う収納位置と、下端がバッグ本体の外側面から離れるように開いた展開位置とに回動可能とし、スタンド脚を展開位置まで開いて、その下端を接地させることにより、ゴルフバッグ本体を傾斜状態で縦置きすることができ、また、スタンド脚を収納位置とした状態で、ゴルフバッグ本体の左右に分かれて設けたサイド収納体により、スタンド脚を被覆保護するとともに、スタンド脚が開くのを防止するようにしたものがある(例えば、特許文献１参照)。
【０００３】
また、キャディーバッグ本体の外側面に付設される収納体を、キャディーバッグ本体の外側面に取り付けた主体と、この主体へ取り付けた袋体とからなるものとし、上記主体に、上部に開口を設けた空洞部を形成し、この空洞部に、傘や肩掛け体を収容しうるようにしたり、上記主体の一方の側端を、キャディーバッグ本体に対して開閉可能とし、その側端を、面ファスナーをもって、キャディーバッグ本体に着脱自在に止着したものもある(例えば、特許文献２参照)。
【先行技術文献】
【特許文献】
【０００４】
【特許文献１】特開平８−８４７９１号公報
【特許文献２】特許第３４４５７６７号公報
【発明の概要】
【発明が解決しようとする課題】
【０００５】
特許文献１に記載されているゴルフバッグにおいては、左右のサイド収納体は、それらの縁に設けたファスナーを開くことにより、その内側の袋状の収納部に物品を収容しうるようになっているが、左右のサイド収納体を他の目的に利用することに関しては、特許文献１には記載も示唆もされていない。
【０００６】
特許文献２に記載されているキャディーバッグにおいては、面ファスナーを引き剥がすことにより、収納体の一方の側端を、キャディーバッグ本体から開くことができるようになっているが、収納体の形状を変えて、収納体を他の目的のために利用することに関してまでは考えられていない。
【０００７】
さらに、特許文献１に記載されている発明と、特許文献２に記載されている発明とを組み合わせて、例えば、特許文献１に記載されているスタンド脚付きのゴルフバッグにおけるゴルフバッグ本体の外側部に、特許文献２に記載されている収納体を、側方に開閉可能として装着し、この収納体により、収納位置としたスタンド脚の被覆保護と開き防止とを図るとともに、この収納体の空洞部に傘を収容しうるようにすることが考えられるが、このような場合には、収納体を側方に開き、かつスタンド脚を開いて、ゴルフバッグを傾斜状態で支持しているとき、傘を安定して収容することができないという問題が生じる。
【０００８】
しかも、スタンド脚を展開して、ゴルフバッグを傾斜状態で支持しているときは、プレーヤーがボールを打つときであり、そのときには、多少の雨でも傘を差さないことが多く、そのようなときにこそ、傘をゴルフバッグの外側面に簡単に収容しておきたいのが実情である。また、その後、スタンド脚を収納位置に収納して、ゴルフバッグを移動させる際には、傘を差すため、傘をゴルフバッグに収容する必要はなく、このような実情と、上記の従来技術を組み合わせた構成とが、うまく適合しない。
【０００９】
このような実情に適合させるために、ゴルフバッグ本体の外側部に、傘を常時安定して支持しうる傘専用の収容体を設けると、ゴルフバッグの外周部が嵩張り、ゴルフバッグ全体が大型化し、プレーヤーが持ち運びにくくなるとともに、ゴルフバッグのコストが増大する。
【００１０】
本発明は、従来の技術が有する上記のような問題点に鑑み、スタンド脚を展開して、バッグ本体をスタンド脚により支持しているときには、傘等の棒状体を、専用の収容体を設けることなく、簡単に、かつ安定よく収容することができ、しかも、簡単な構成で、収納位置としたときのスタンド脚の防護と開き防止とを図ることができるようにしたスタンド脚付きバッグを提供することを目的としている。
【課題を解決するための手段】
【００１１】
本発明によると、上記課題は、次のようにして解決される。
(１)  有底筒状のバッグ本体の外側面に、前記バッグ本体の長手方向に添う収納位置と、下端が前記バッグ本体の外側面から離間するように展開した展開位置とに移動可能なスタンド脚を備えるスタンド脚付きバッグにおいて、
前記スタンド脚を被覆保護するための可撓性のカバーの基端部が、該スタンド脚の一側方におけるバッグ本体の外側面に止着され、該カバーにより、収納位置としたときのスタンド脚の一部を覆った状態で、カバーの遊端部を、該スタンド脚の他側方におけるバッグ本体の外側面に止着可能とする一方、前記カバーの遊端部を、該カバーの基端部に止着可能とすることにより、筒状体を形成しうるようにする。
【００１２】
このような構成とすると、カバーにより、収納位置としたときのスタンド脚の外側面を覆った状態で、カバーの遊端部を、バッグ本体の外側面におけるスタンド脚の他側方の部分に止着することによって、カバーにより、収納位置のスタンド脚を防護しうるとともに、スタンド脚が開くのを阻止することができ、また、カバーの遊端部をそこから剥がし、カバーの中間部を丸めた状態で、カバーの基端部に止着することによって、筒状体を形成することができ、ここに、傘その他の棒状体を差し込んで、保持させることができる。
したがって、スタンド脚を展開して、バッグ本体をスタンド脚により支持しているときにも、傘等の棒状体を、専用の収容体を設けることなく、簡単に、かつ安定よく収容することができ、しかも、簡単な構成で、収納位置としたときのスタンド脚の防護と開き防止とを図ることができる。
【００１３】
(２)  上記(１)項において、カバーの遊端部に、該カバーの基端部と、バッグ本体の外側面におけるスタンド脚の他側方の部分とに止着可能な面ファスナーを設ける。
【００１４】
このような構成とすると、カバーの遊端部に設けた面ファスナーを、収納位置としたときのスタンド脚の他側方におけるバッグ本体の外側面と、カバーの基端部とに、簡単に、選択的に接合させることができる。
また、カバーの遊端部に設ける止着手段を簡素化することができるとともに、カバーの遊端部の着脱を容易に行うことができる。
【００１５】
(３)  上記(１)または(２)項において、カバーにおける上部の基端部と遊端部との止着部分の間隔を、カバーの下部の基端部と遊端部との止着部分の間隔より大とすることにより、形成される筒状体を、下方に向かって漸次縮径するテーパー状とする。
【００１６】
このような構成とすると、筒状体を、下方に向かって漸次縮径するテーパー状とすることができ、ここに傘等の先細りテーパー状の棒状体を差し込んだとき、その棒状体が落下しないようにすることができるとともに、傘等を入れやすくすることができる。
【発明の効果】
【００１７】
本発明によると、スタンド脚を展開して、バッグ本体をスタンド脚により支持しているときにも、傘等の棒状体を、専用の収容体を設けることなく、簡単に、かつ安定よく収容することができ、しかも、簡単な構成で、収納位置としたときのスタンド脚の防護と開き防止とを図ることができるようにしたスタンド脚付きバッグを提供することができる。
【図面の簡単な説明】
【００１８】
【図１】本発明をゴルフバックに適用した一実施形態におけるカバーを開いたときの正面図である。
【図２】同じく、平面図である。
【図３】カバーを丸めて筒状体を形成したときの平面図である。
【図４】同じく、筒状体に傘を収容したときの正面図である。
【図５】スタンド脚を展開して、バッグ本体を傾斜状態で支持したときの斜視図である。
【図６】カバーの変形例を示す、図１と同様の平面図である。
【図７】カバーの別の変形例を示す、図３と同様の平面図である。
【発明を実施するための形態】
【００１９】
次に、本発明をゴルフバックに適用した一実施形態を、図１〜図５を参照して説明する。
図１および図２に示すように、スタンド脚付きのこのゴルフバックは、ゴルフクラブ(図示略)を収容する有底筒状のバッグ本体１を備えている。
【００２０】
バッグ本体１の上部前面に設けた左右１対のブラケット２、２には、上下方向を向く左右１対のスタンド脚３、３の上端部が、ほぼ左右方向を向く、正確には、平面視において外端部が内端部より後方に位置するようにわずかに傾斜する軸４、４をもって枢着されている。
【００２１】
左右１対のスタンド脚３、３は、図１に示すように、互いに平行をなして、バッグ本体１の外側面の長手方向に添う収納位置と、図５に示すように、下端がバッグ本体１の外側面から離間するとともに、下方に向かって互いに拡開するように展開し、その下端を地面等(図示略)に当接させることにより、バッグ本体１を前傾状態で支持しうる展開位置とに回動可能である。
【００２２】
バッグ本体１の下端部前面には、前方を向く作動レバー５の後端部が、左右方向を向く軸６をもって枢着され、作動レバー５の前端部上面に設けたブラケット７には、可撓性を有する左右１対の連結ロッド８、８の下端部が連結されている。
【００２３】
連結ロッド８、８は、バッグ本体１の下端部にわずかに前傾するように設けた案内孔９を通って、バッグ本体１の下端部よりやや上方の部分からバッグ本体１の前面に露呈し、そこから上方に延出した後、それらの中間部同士を連結する連結板１０より上方において互いに両側方に拡開し、上端部に設けた内向き折曲部８ａ、８ａを、左右のスタンド脚３、３における上端からやや下方の前部に設けた横向筒１０、１０に、外側から嵌合することにより、両スタンド脚３、３に連結されている。
【００２４】
したがって、バッグ本体１を、起立姿勢で接地している状態から、図５に示すように前傾させると、バッグ本体１と作動レバー５とのなす角度が小となり、それによって連結ロッド８、８が押し上げられて、両スタンド脚３、３が、収納位置から展開位置へ自動的に展開させられるようになっている。
また、バッグ本体１を、図５に示す傾斜状態から起立姿勢に戻すと、両スタンド脚３、３は、自重により、元の収納位置に復帰回動し、それに連動して、作動レバー５も元の位置に復帰する。
【００２５】
両スタンド脚３、３および作動レバー５の回動範囲を規制する手段も設けられているが、それらについては本発明に直接関係しないので、図示および詳細な説明は省略する。
【００２６】
バッグ本体１の外側面における収納位置としたときのスタンド脚３、３の左側方には、方形の可撓性のカバー１１の一側縁部、すなわち基端部が縫着(止着)されている。
このカバー１１は、後述する傘１４が接する面、つまり裏面に防水性シートを裏打ちした厚手の生地、または合成樹脂製シート等により形成するのが好ましい。このようにすることによって、スタンド脚３、３やバッグ本体１が濡れるのを防止することができる。
【００２７】
カバー１１の他側縁部、すなわち遊端部の裏面には、互いに着脱可能な１対の接合片１２ａ、１２ｂからなる面ファスナ(止着手段)１２における一方の接合片１２ａが、上下方向に長い帯条片として固着されている。
バッグ本体１の外側面における収納位置としたときのスタンド脚３、３の右側方には、短冊状とした複数の接合片１２ｂが、上下方向に並べて固着されている。
また、カバー１１の基端部の裏面には、上下方向に長い帯条片とした接合片１２ｂが固着されている。
【００２８】
したがって、図１および図２に示すように、両スタンド脚３、３を収納位置とした状態で、同図に２点鎖線で示すように、カバー１１により、収納位置としたときの両スタンド脚３、３の中間部を覆った状態で、カバー１１の遊端部における接合片１２ａを、両スタンド脚３、３の右側方における複数の接合片１２ｂに押し付けて止着することにより、カバー１１により、収納位置のスタンド脚３、３を防護しうるとともに、スタンド脚３、３が開くのを阻止することができる。
【００２９】
また、カバー１１の遊端部の接合片１２ａを、上記複数の接合片１２ｂから引き剥がし、図３に示すように、カバー１１の中間部を丸めて、カバー１１の遊端部の接合片１２ａを、カバー１１の基端部における接合片１２ｂに押し付けて止着することによって、丸めたカバー１１の中間部により、筒状体１３を形成することができる。
【００３０】
図４に示すように、上記筒状体１３に、傘１４その他の棒状体を差し込んで、保持させることができる。
さらに、傘１４等を筒状体１３に収容したままの状態で、バッグ本体１を前傾させ、上述したように、両スタンド脚３、３を展開位置へ移動させて、バッグ本体１を図５に示す傾斜状態で支持した場合においても、傘１４等を筒状体１３に収容したまま、傾斜状態で安定よく支持することができ、傘専用の収容体を設ける必要がない。
【００３１】
筒状体１３の上方におけるバッグ本体１の上部の外側面には、筒状体１３に差し入れた傘１４等の棒状体の上部を緊締しうる、締付け部材１５付きの紐条１６が止着されている。
ゴルフバックにおけるその他の構成は、本発明に直接関係しないので、それについての詳細な説明は省略する。
【００３２】
本発明は、上記実施形態のみに限定されるものではなく、特許請求の範囲を逸脱することなく、幾多の変形した態様での実施が可能である。
例えば、次のような変形した態様での実施が可能である。
【００３３】
(Ａ)  図６に示すように、カバー１１を、上部の幅が下部の幅より大きい倒立台形状とするとともに、カバー１１における上部の基端部と遊端部との止着部分の間隔を、カバー１１の下部の基端部と遊端部との止着部分の間隔より大とすることにより、形成される筒状体１３を、下方に向かって漸次縮径するテーパー状とする。
【００３４】
このような構成とすると、筒状体１３を、下方に向かって漸次縮径するテーパー状とすることができ、ここに傘等の先細りテーパー状の棒状体を差し込んだとき、その棒状体が落下しないようにすることができるとともに、傘等を入れやすくすることができる。
【００３５】
このときのカバー１１の遊端部の内面に固着する面ファスナ１２における接合片１２ａを、上方に向かって拡開する倒立三角形または倒立台形状としたり、カバー１１の基端部における接合片１２ｂを、下方に向かって拡開する台形状としたり、または接合片１２ａ、１２ｂの横幅を大としたりすることにより、接合片１２ａを、カバー１１の基端部における接合片１２ｂ、およびスタンド脚３、３の右側方における接合片１２ｂに接合させる際の相対位置や向きに自由度を持たせ、形成される筒状体１３の径やテーパー角度を自由に変更しうるようにするのが望ましい。
また、接合片１２ａ、１２ｂを、カバー１１の両側端より中央寄りの部分に設けてもよい。
【００３６】
(Ｂ)  図７に示すように、カバー１１の遊端部の外面にも、面ファスナ１２における接合片１２ａを設け、これをカバー１１の基端部の内面における接合片１２ｂに接合させることにより、形成される筒状体１３を、平面視雨滴状ではなく、真円に近い形状とすることができる。
【００３７】
(Ｃ)  止着手段を、面ファスナ１２に代えて、互いに着脱可能な１対の雄型と雌型とからなるホック、またはその他構造のものとする。
【００３８】
(Ｄ)  カバー１１の基端部を、バッグ本体１の外周面に、面ファスナ等の止着手段をもって、着脱自在に取付ける。つまり、カバー１１全体を取り外しできるようにしてもよい。
【００３９】
(Ｅ)  バッグ本体１の下端部の外側面における筒状体１３の下方の位置に、筒状体１３に挿入した傘１４等の先端を受ける受け部材を設ける。
【００４０】
また、本発明は、スタンド脚自体の構成を限定するものではなく、スタンド脚は、前後に平行移動させたり、縦軸回りに回動させることによって、使用状態と折り畳み状態としうるようにしたもの等であってもよい。
【産業上の利用可能性】
【００４１】
上記実施形態は、本発明をゴルフバッグに適用した場合のものであるが、本発明は、これに限られるものではなく、例えばテニスのラケットや野球のバット等の打球具を収容するバッグや、キャリーバッグ等のスタンド脚付きバッグに適用することができる。
【符号の説明】
【００４２】
１  バッグ本体
２  ブラケット
３  スタンド脚
４  軸
５  作動レバー
６  軸
７  ブラケット
８  連結ロッド
８ａ内向き折曲部
９  案内孔
１０  横向筒
１１  カバー
１２  面ファスナ(止着手段)
１２ａ、１２ｂ  接合片
１３  筒状体
１４  傘(棒状体)
１５  締付け部材
１６  紐条
【図１】
2010227328.tif 000003
【図２】
2010227328.tif 000004
【図３】
2010227328.tif 000005
【図４】
2010227328.tif 000006
【図５】
2010227328.tif 000007
【図６】
2010227328.tif 000008
【図７】
2010227328.tif 000009